(57)【要約】【課題】外部からの衝撃や土圧に耐えるのに充分な耐圧強度と、あらゆる方向に変形するのに適切な曲げ強度とを備え、圧壊して扁平状となったり破損したりすることなく排水空間を充分に維持するとともに、集めた水を速やかに排水管等に案内することができる集排水板の提供。【解決手段】  所定の空間を保持させるための多数の凸部１ａ，２１ａ，３１ａを少なくとも片面に突出形成させてある面状部材１，２１，３１と、微細な無数の透水孔を備えた透水性ネット２とからなり、面状部材１，２１，３１が、前記各凸部１ａ，２１ａ，３１ａと、各凸部１ａ，２１ａ，３１ａ間を連結する連結部１ｂ，２１ｂ，３１ｂとを備え、透水性ネット２が面状部材１，２１，３１の表背両面に配設されているもの。【選択図】図１
2009030334.tif 000002
【特許請求の範囲】
【請求項１】
所定の空間を保持させるための多数の凸部(1a，21a，31a)を少なくとも片面に突出形成させてある面状部材(1，21，31)と、
微細な無数の透水孔を備えた透水性ネット(2)とからなり、
面状部材(1，21，31)が、前記各凸部(1a，21a，31a)と、各凸部(1a，21a，31a)間を連結する連結部(1b，21b，31b)とを備え、
透水性ネット(2)が面状部材(1，21，31)の表背両面に配設されている集排水板。
【請求項２】
面状部材(1，21，31)が、各凸部(1a，21a，31a)と、各凸部(1a，21a，31a)間を連結する連結部(1b，21b，31b)とで囲まれた部分に開口部(21d)を有するものである請求項１に記載の集排水板。
【請求項３】
凸部(1a，21a，31a)は、筒形状又は柱形状のものである請求項１又は２に記載の集排水板。
【請求項４】
連結部(21b)には、補強線材が埋め込まれている請求項１〜３のいずれか１項に記載の集排水板。
【発明の詳細な説明】
【技術分野】
【０００１】
本発明は、主として軟泥地や湧水地の地中に埋設して、土壌中の湧水や降雨による浸透水等を集水して誘導することにより、排水管等に排水させることで、土壌の安定化を図るために使用される集排水板に関する。
【背景技術】
【０００２】
土壌中の水を集めて排水管等に排水することは、傾斜地にあっては、土砂崩れのような傾斜面の崩壊を防止するために、農業分野においては、土壌を乾燥させ、土壌塩の蓄積を回避させ、作物の増収を図るために、道路建設にあっては、道路下層の水が土壌を軟化させて路床を沈下させたり、凍結して路床を膨張させたりすることによって引き起こされる舗装の破壊防止のために、建築分野においても、土壌基盤の軟化による建築物の倒壊の発生防止のために等のそれぞれの理由によって、行われてきた。
【０００３】
而して、土壌中の水の集排水を行う一手段として、所定の間隔を隔てて上下に平行に配設した一対の透水性のシート状部材間に、上下にジグザグ形状をなす帯状の間隔保持部材（波形テープ）を多数互いに間隔を隔てて配設し、この間隔保持部材の屈曲端部（上部と下部）をシート状部材に接着して一体化させた排水マット等が開示されている（例えば、特許文献１参照）。このような排水マットでは、透水性のシート状部材を通過して内部に流入した水を、波形テープにより形成される排水空間を通して、例えば排水管等に排水させることができる。
【０００４】
このような排水マットは、多数本の波形テープによる強度によって、外部からの衝撃や重圧を緩衝することにより、充分な耐圧強度を有し、原形維持（排水マットにおいては排水空間維持）に寄与するという効果を奏する。また、基板層から伸びる多数のフィンガー（凸部）と多数のさん孔（開口部）をもつ排水マットも開示されている（例えば、特許文献２参照）。このような排水マットは、フィンガーで充分な耐圧強度を有し、原形維持に寄与するという効果を奏するとともに、さん孔を形成しているので、軽量であるという性質も有している。
【特許文献１】特開２００６−３７４７０号公報
【特許文献２】特開昭５９−２３３０１３号公報
【発明の開示】
【発明が解決しようとする課題】
【０００５】
しかしながら、特許文献１に記載された排水マットを土中に埋設した場合、外部からの衝撃や土圧だけでなく、地形の変化によって埋設地の地形に沿って変形する力が加わることがある。つまり、排水マットに変形する力が加わったとき、帯状の各波形テープは、所定の間隔を隔てて平行に配置されているので、波形テープの長手方向と垂直な方向とにおいて圧潰変形強度に差が生じ、波形テープの長手方向では、波形テープと波形テープとの間となる箇所でシート状部材のみの強度にゆだねられるため、変形する力に耐えることができず破損することがあった。即ち、上述した排水マットは、波形テープの長手方向と、垂直な方向とにおいて、均等な曲げ強度を有していなかった。さらに、排水マットにおいて、多数本の波形テープによって形成される排水空間は、シート状部材を透過した水の通水路となるが、通水の方向によって、波形テープの波形の幅が通水の障害となり、効率的な排水を行うことができなかった。
【０００６】
また、特許文献２に記載された排水マットを製造することは、射出用空孔を多数もつ回転式円筒ドラムを使用して、まず、フィンガーを形成しながら層２３を形成して、次に、パンチング工程を実施して、フィンガーを損傷しないようにしてフィンガーの間にさん孔（鑽孔）をしなければならないため、手間がかかった。
【０００７】
また、この特許文献２に記載の排水マットは、平板状シートからフィンガーが突設されているもので、さん孔時にさん孔機を所定の孔開け作動を行わせるための調整、即ち、フィンガーを損傷しない状態でのさん孔位置・タイミング等の調整が必要であり、均一な物性を有する排水シートを製造するのに製造が煩雑になりがちであった。しかも、排水マットの強度を向上すべく平板状シートの肉厚を厚くすると、さん孔機のさん孔トルクを上げるなどの対策が必要となり、排水マットの可撓性も低下する。逆に平板状シートの肉厚を薄くすると、さん孔しやすくなる反面、平板状シートのシート基盤が柔らかくなりすぎてフィンガーがぐらつき不整に倒れ、シートにかかる土圧により排水シート内の排水空間が保てずに排水困難となる問題があった。
【０００８】
そこで、本発明は、外部からの衝撃や土圧に耐えるのに充分な耐圧強度と、あらゆる方向に変形するのに適切な曲げ強度とを備え、圧壊して扁平状となったり破損したりすることなく排水空間を充分に維持するとともに、集めた水を速やかに排水管等に案内することができる集排水板を提供するものである。
【課題を解決するための手段】
【０００９】
この課題を解決するために講じた本発明の構成を、実施例を示す図面に使用した符号を用いて説明すると、所定の空間を保持させるための多数の凸部１ａ，２１ａ，３１ａを少なくとも片面に突出形成させてある面状部材１，２１，３１と、微細な無数の透水孔を備えた透水性ネット２とからなり、面状部材１，２１，３１が、前記各凸部１ａ，２１ａ，３１ａと、各凸部１ａ，２１ａ，３１ａ間を連結する連結部１ｂ，２１ｂ，３１ｂとを備え、透水性ネット２が面状部材１，２１，３１の表背両面に配設されている構成としたものである。
【００１０】
また、第２構成の集排水板は、面状部材１，２１，３１が、各凸部１ａ，２１ａ，３１ａと、各凸部１ａ，２１ａ，３１ａ間を連結する連結部１ｂ，２１ｂ，３１ｂとで囲まれた部分に開口部２１ｄを有するものである構成としたものである。
【００１１】
そして、第３構成の集排水板は、凸部１ａ，２１ａ，３１ａを、筒形状又は柱形状のものである構成としたものである。
【００１２】
さらに、第４構成の集排水板は、連結部２１ｂに補強線材が埋め込まれている構成としたものである。
【発明の効果】
【００１３】
本発明の集排水板によれば、多数の凸部に透水性ネットを、例えば貼着しているので、透水性ネットを通過して内部に流入した水を、多数の凸部により形成される排水空間を通して排水させることができる。このとき、本発明の集排水板は、多数の凸部が形成されているので、外部からの衝撃や土圧に耐えるのに充分な耐圧強度を備えるという性質を有し、かつ、多数の凸部は連結部によってお互いに連結されているので、連結部の存在によって、あらゆる方向に変形するのに適切な曲げ強度を備えさせることができるという効果を有している。さらに、連結部の存在によって、連結部と連結部との間に存在する部分を連結部に比して薄くしたり、開口部とすることができる。
【００１４】
また、本発明の集排水板を構成する面状部材は、それぞれの凸部間が連結部で連結されており、これらの連結部で囲まれた部分が連結部よりも肉薄か開口部としてあるので面状部材の可撓性を阻害しないため、適切な集排水板の可撓性を維持しながら、集排水板が外部からの衝撃や土圧を受けても、凸部と連結部が協働してこれを受け止め、凸部が倒れたりすることがないので集排水板内部の排水空間が小さくならずに、排水性が充分に確保される。また、各凸部間を連結する連結部が孔開けガイドとしての役目を果たすので、面状部材製造時のさん孔が容易になるという利点も有している。
【００１５】
さらに、第２構成の集排水板にあっては、雨水等の表面側からの浸透水だけでなく、背面側からの湧水や溜まり水も、透水性ネットの透水孔を通過して排水空間内に集めることができる効果を、上述した効果に合わせてさらに有しているものである。
【００１６】
また、第３構成の集排水板にあっては、凸部が、筒形状又は柱形状のものであるため、通水の障害となることもなく、集めた水を速やかに排水管等に案内することができる効果を、上述した効果に合わせてさらに有しているものである。
【００１７】
また、第４構成の集排水板にあっては、連結部内に補強線材が埋め込まれているので、補強線材の存在によって、あらゆる方向に変形するのに適切な曲げ強度をより備える効果を、上述した効果に合わせてさらに有しているものである。
【発明を実施するための最良の形態】
【００１８】
面状部材１，２１，３１の素材は、特に限定されるものではないが、製造が容易であることや地中での経時劣化が少ないことを勘案すると、ポリエチレン、ポリプロピレン等を主成分としたポリオレフィン系熱可塑性合成樹脂であることが好ましい。
【００１９】
さらに、面状部材１，２１，３１は、土中に埋設した場合に土壌にかかる荷重に対して圧潰を防ぐに足る耐圧強度を必要とする。そのためには、凸部１ａ，２１ａ，３１ａの数や大きさを適宜調整しなければならない。つまり、凸部１ａ，２１ａ，３１ａの数を少なくするか、あるいは、凸部１ａ，２１ａ，３１ａの大きさを小さくすれば、耐圧強度が低下することになり、一方、凸部１ａ，２１ａ，３１ａの数を多くするか、あるいは、凸部１ａ，２１ａ，３１ａの大きさを大きくすれば、コストが上昇することになる。また、凸部１ａ，２１ａ，３１ａは、筒形状又は柱形状であり、平面視すると、斜め方向及びその斜め方向と異なる斜め方向に配列されてもよいが、縦方向及び横方向に配列されたものが適当である。なお、凸部１ａ，２１ａ，３１ａは、多角筒形状又は多角柱形状であってもよいが、円筒形状又は円柱形状であるものが適当である。また、この凸部１ａ，２１ａ，３１ａは、楕円形や長円形の筒形や中実形としたり、円錐形や多角錐形のものとして実施することもできる。
【００２０】
さらに、面状部材１，２１，３１は、土中に埋設した場合に埋設時又は埋設後における地形の変化によって、埋設地の地形に沿って変形しても、破損することがない曲げ強度を必要とする。そのためには、連結部１ｂ，２１ｂ，３１ｂの厚さや幅を適宜調整しなければならない。つまり、連結部１ｂ，２１ｂ，３１ｂの厚さや幅を小さくすれば、曲げ強度が低下しすぎることになり、一方、連結部１ｂ，２１ｂ，３１ｂの厚さや幅を大きくすれば、曲げ強度が上昇しすぎることになる。連結部１ｂ，２１ｂ，３１ｂの厚さの目安を例示すると、連結部１ｂ，２１ｂ，３１ｂは、厚さ０．５〜３．０ｍｍ程度範囲内のものが適当である。このとき、凸部１ａ，２１ａ，３１ａの頂部が平坦面に形成される構成として実施すれば、凸部１ａ，２１ａ，３１ａの頂部に貼着される透水性ネット２との接着面積を大きくすることができ、両者の接着を確実なものとすることができる。これにより、土圧による透水性ネット２への直接圧を最小限に低減させ、たわみを小さくして排水空間を確実に維持することができる利点がある。
【００２１】
また、連結部１ｂ，２１ｂ，３１ｂ内には補強線材が埋め込まれている構成として実施すれば、補強線材の存在によって、あらゆる方向に変形するのに適切な曲げ強度をより備えるものとすることができる。補強線材としては、例えば、糸、ステンレス線や超硬鋼線等の金属線材、硬質の樹脂素材線等が挙げられる。なお、面状部材１，２１，３１の製造方法としては、例えば、ポリエチレン、ポリプロピレン等のポリオレフィン系熱可塑性合成樹脂の単体、又は、複合体の硬質の樹脂素材を押出成形すること等が挙げられる。
【００２２】
表裏の透水性ネット２，３の素材は、特に限定されるものではないが、製造が容易であること、凸部１ａ，２１ａ，３１ａとの融着性を勘案すると、ポリエチレン、ポリプロピレン、ポリアミド等を主成分とした熱可塑性合成樹脂であることが好ましい。
【００２３】
また、これらの透水性ネット２，３の透水孔は、大きすぎると凸部１ａ，２１ａ，３１ａにより形成される排水空間が侵入土砂で埋まって排水能力を低下させるおそれがあり、一方、小さすぎると土砂によって目詰まりして集水能力を低下させるおそれがあるので、配設使用場所の土壌の種類や状態に応じた大きさのものとすることが好ましい。実体的には、集排水空間内への土砂の浸入を防ぐ程度の大きさのものとし、実寸的には、最大長さ０．３ｍｍ以上０．５ｍｍ以下の小孔とすることが好ましい。
【００２４】
なお、透水性ネット２，３の製造方法についても、特に限定しないが、延伸処理した素材を繊維状又は裁断した薄いテープ状物を縦横に配列してその交点を融着するか、あるいは、織物状に織ること等が挙げられる。
【実施例１】
【００２５】
以下、本発明の実施例を図示例とともに説明する。図１乃至図７は、本発明の第１実施例を示す図であって、図１は、第１実施例に係る集排水板の斜視図であり、図２は、図１におけるＡ−Ａ線の断面図であり、図３は、図１におけるＢ−Ｂ線の断面図であり、図４は、図２と同部分の変形例を示した断面図であり、図５は、同実施例の集排水板の面状部材と透水性ネットとの分解斜視図であり、図６は、同実施例の面状部材の平面図であり、図７は、集排水板の使用例を示す図である。
【００２６】
図１乃至図６に示す第１実施例に係る集排水板は、面状部材１と、面状部材１の表面に配設された透水性ネット２と、面状部材１の背面に配設された透水性ネット３とからなる集排水板Ｐとしたものである。
【００２７】
面状部材１は、ポリエチレン樹脂が圧縮成形されたものであり、表面と背面との両方で突出し、かつ、縦方向及び横方向に配列して形成された多数の凸部１ａと、多数の凸部１ａを縦方向及び横方向で連結する連結部１ｂと、基板部１ｃとを有する。この第１実施例として図１乃至図６に示した凸部１ａは、円筒形状である。そして、図６に示すように、平面視すると、縦方向にも横方向にも配列されている。また、連結部１ｂは、凸部１ａの側面から凸部１ａの側面までの縦方向と横方向とに形成されている。さらに、基板部１ｃは、連結部１ｂより薄いものであり、連結部１ｂと連結部１ｂとの間及び凸部１ａの内部に形成されている。なお、凸部１ａが表面と背面との両方で突出するように、凸部１ａの厚さ方向の中心と、基板部１ｃの厚さ方向の中心とは、略同一平面に存在する。また、図２に示したように、基板部１ｃの下面と連結部１ｂの下面とは同一平面に形成してあっても、図４の変形例に示したように、両部１ｂ，１ｃの厚さ方向の中心を揃えたものとしてもよい。このような構造とした集排水板Ｐを、図７に示したように、土壌中の湧水や降雨による浸透水の多い土中に埋めて集水させ、所要の排水管等へ誘導させる。
【実施例２】
【００２８】
次に、第２実施例に係る集排水板について説明する。図８乃至図１０は、本発明の第２実施例を示す図であって、図８は、該第２実施例に係る集排水板の斜視図であり、図９は、同実施例の面状部材の平面図であり、図１０は、同実施例の集排水板の面状部材と透水性ネットとの分解斜視図である。
【００２９】
図８乃至図１０に示す第２実施例に係る集排水板は、面状部材２１と、面状部材２１の表面に配設された透水性ネット２と、面状部材２１の背面に配設された透水性ネット３とからなる。また、該第２実施例に係る集排水板では、面状部材２１は、上述した第１実施例に係る面状部材１と異なり、基板部１ｃがなく、多数の開口部２１ｄを有する。なお、透水性ネット２及び透水性ネット３は、図１乃至図６を用いて説明したものと同様である。
【００３０】
該第２実施例に示した面状部材２１は、表面側だけで突出し、かつ、縦方向及び横方向に配列して形成された多数の凸部２１ａと、多数の凸部２１ａを縦方向及び横方向で連結する連結部２１ｂとを有している。図示の凸部２１ａは、円柱形状の凸部であり、より詳しくは中実の円錐台形状としたものである。そして、図９に示すように、平面視すると、連結部２１ｂの交点において、縦方向にも横方向にも一つ飛びとなる千鳥格子状に配列されている。また、連結部２１ｂは、凸部２１ａの側面から凸部２１ａの側面までの縦方向と横方向とに形成されている。なお、凸部２１ａの底面と連結部２１ｂの底面とは、同一平面に存在する。
【００３１】
また、凸部２１ａの頂部が平坦面に形成されている構成としてあるので、前記第１実施例の円筒形状の凸部１ａと対比すると、凸部２１ａの頂部に貼着される透水性ネット２との接着面積を大きくすることができ、両者の接着をより確実なものとすることができる。また、連結部２１ｂと凸部２１ａとの内部には、補強糸（図示せず）が埋め込まれている構成としたものである。この補強糸を埋め込む構成は、前記第１実施例に示した連結部１ｂや、後述する第３実施例に示した連結部３１ｂにも用いてよいことは言うまでもない。
【００３２】
なお、透水性ネット３は、面状部材２１の背面に熱融着して貼着されているとともに、一側縁部を透水性ネット２の一側縁部に熱融着して貼着されている。
【００３３】
第２実施例に係る集排水板によれば、連結部２１ｂ内には補強糸が埋め込まれているので、縦方向にも横方向にも補強糸の存在によって、あらゆる方向に変形するのに適切な曲げ強度を備える。また、凸部２１ａの頂部が平坦面に形成されているので、凸部２１ａの頂部に貼着される透水性ネット２との接着面積を大きくすることができ、両者の接着を確実なものとすることができる。
【実施例３】
【００３４】
図１１及び図１２は、第３実施例の面状部材について示したものであって、該実施例に示した面状部材３１は、前記第２実施例の面上部材２１と同様に、図１１，図１２にみられる円錐状に形成した凸部３１ａを有し、頂部を平坦面に形成したものを示してある。また、図１１は、連結部３１ｂで囲まれた部分３１ｃが薄い肉厚で膜壁を有する状態としたものを示してあり、図１２は、この薄い膜壁を除去して、開口部３１ｄに形成した面状部材３１を示したものである。
【００３５】
以上の各実施例の集排水板を構成する面状部材１，２１及び３１、透水性ネット２及び透水性ネット３の材料や寸法及び配置間隔は一例であって、実施の形態の項で説明したようにある程度の幅で変形して実施することができる。
【００３６】
以上、本発明の代表例と思われる実施例について説明したが、本発明は、上述した実施例のみに限定されるものではなく、本発明にいう構成要件を備え、かつ、本発明にいう目的を達成し、本発明にいう効果を有する範囲内において、適宜改変して実施することができるものである。
【産業上の利用可能性】
【００３７】
本発明の集排水板は、圧壊して扁平状となったり破損したりすることがないため、集水の必要なあらゆる土地に適用することができ、その活用範囲は広いものである。
【図面の簡単な説明】
【００３８】
【図１】第１実施例に係る集排水板の斜視図。
【図２】図１におけるＡ−Ａ線の断面図。
【図３】図１におけるＢ−Ｂ線の断面図。
【図４】第１実施例に係る集排水板の変形例を示す図２相当部分の断面図。
【図５】第１実施例に係る集排水板の面状部材と透水性ネットとの分解斜視図。
【図６】第１実施例に係る面状部材の平面図。
【図７】第１実施例に係る集排水板の使用例を示す図。
【図８】第２実施例に係る集排水板の斜視図。
【図９】第２実施例に係る面状部材の平面図。
【図１０】第２実施例に係る集排水板の面状部材と透水性ネットとの分解斜視図。
【図１１】第３実施例に係る面状部材の開口部形成前の斜視図。
【図１２】第３実施例に係る面状部材の開口部形成後の斜視図。
【符号の説明】
【００３９】
１，２１，３１  面状部材
１ａ，２１ａ，３１ａ  凸部
１ｂ，２１ｂ，３１ｂ  連結部
１ｃ，３１ｃ  基板部
２１ｄ，３１ｄ  開口部
２，３  透水性ネット
【図１】
2009030334.tif 000003
【図２】
2009030334.tif 000004
【図３】
2009030334.tif 000005
【図４】
2009030334.tif 000006
【図５】
2009030334.tif 000007
【図６】
2009030334.tif 000008
【図７】
2009030334.tif 000009
【図８】
2009030334.tif 000010
【図９】
2009030334.tif 000011
【図１０】
2009030334.tif 000012
【図１１】
2009030334.tif 000013
【図１２】
2009030334.tif 000014